(57)【要約】無線広域ネットワーク「ＷＷＡＮ」モバイルゲートウェイ（１０２）は、複数の通信プロトコルから選択された通信プロトコルを実行し、ＷＷＡＮデバイスインタフェース（１１９）を介して接続される接続されたＷＷＡＮモデムカード（１２０）と通信するように構成される。接続されたＷＷＡＮモデムカード（１２０）は、複数のＷＷＡＮモデムカードのうちの１つであり、該複数のＷＷＡＮモデムカードの各々は、複数の通信プロトコルのうちの１つを用いて通信するように構成され、ＷＷＡＮ通信システム（１０４）とＷＷＡＮ信号を交換するＷＷＡＮトランシーバ（１２４、１２６）を含む。無線ユーザデバイス（１０６）または有線ユーザデバイス（１０８）は、ＷＷＡＮモバイルゲートウェイ（１０２）を介してＷＷＡＮ通信システム（１０４）と通信する。
2010510751.tif 000002
【特許請求の範囲】
【請求項１】
少なくとも１つのユーザデバイスとデータを交換するように構成されるローカルエリアネットワーク（ＬＡＮ）インタフェースと、
複数のＷＷＡＮモデムカードのうちの１つのＷＷＡＮモデムカードに接続するように構成される無線広域ネットワーク（ＷＷＡＮ）デバイスインタフェースであって、該複数のＷＷＡＮモデムカードの各々は、通信プロトコルを用いて該ＷＷＡＮデバイスインタフェースと通信するように構成され、ＷＷＡＮ通信システムとＷＷＡＮ信号を交換するように構成されるＷＷＡＮトランシーバを備えている、無線広域ネットワークデバイスインタフェースと、
複数の該通信プロトコルのうちの１つの選択された通信プロトコルを実行し、該ＷＷＡＮデバイスインタフェースを介して該ＷＷＡＮモデムカードと通信するように構成されるコントローラと
を備えている、無線広域ネットワーク（ＷＷＡＮ）モバイルゲートウェイ。
【請求項２】
前記コントローラは、前記ＷＷＡＮデバイスインタフェースを介して受信されるメッセージに基づいて前記選択された通信プロトコルを決定するようにさらに構成される、請求項１に記載のＷＷＡＮモバイルゲートウェイ。
【請求項３】
前記メッセージは、前記ＷＷＡＮデバイスインタフェースを介する問合せメッセージに応答して、接続されたＷＷＡＮモデムカードによって送信される、請求項２に記載のＷＷＡＮモバイルゲートウェイ。
【請求項４】
前記複数の通信プロトコルは、前記複数のＷＷＡＮモデムカードのうちの１つの強化された機構のＷＷＡＮモデムカードによる一組のデフォルト機能に加えて、該複数のＷＷＡＮモデムカードよる一組のデフォルト機能の実行を有効化するデフォルト通信プロトコルと、少なくとも１つの強化された機能の実行を有効化する強化された通信プロトコルとを含む、請求項１に記載のＷＷＡＮモバイルゲートウェイ。
【請求項５】
前記一組のデフォルト機能は前記ＷＷＡＮデバイスインタフェースを介するデフォルト情報の交換を含み、前記少なくとも１つの強化された機能は該ＷＷＡＮデバイスインタフェースを介する追加の情報の交換を含み、該追加の情報は該デフォルト情報への追加である、請求項４に記載のＷＷＡＮモバイルゲートウェイ。
【請求項６】
前記追加の情報は、ＷＷＡＮ信号出力レベルと、ＷＷＡＮ受信の信号強度と、ネットワークタイプと、デバイス診断情報と、ネットワーク診断情報と、上記の情報の任意の適切な組合せとから成る群から選択される、請求項５に記載のＷＷＡＮモバイルゲートウェイ。
【請求項７】
前記少なくとも１つの強化された機能は、前記強化された機能のＷＷＡＮモデムカードにおいて受信されたショートメッセージサービス（ＳＭＳ）メッセージに基づいて、前記コントローラに制御信号を提供することを包含する、請求項４に記載のＷＷＡＮモバイルゲートウェイ。
【請求項８】
前記強化された通信プロトコルを実行するための強化されたプロトコルコードを格納するように構成されるメモリデバイスをさらに備えている、請求項４に記載のＷＷＡＮモバイルゲートウェイ。
【請求項９】
ＷＷＡＮモバイルゲートウェイにおいて実行される無線広域ネットワーク（ＷＷＡＮ）モデムカードと通信する方法であって、該方法は、
該ＷＷＡＮモバイルゲートウェイに接続されたＷＷＡＮモデムカードが強化された通信プロトコルをサポートすることを決定することと、
該強化された通信プロトコルを用い、該ＷＷＡＮモデムカードと通信することと
を包含する、方法。
【請求項１０】
前記強化された通信プロトコルを用いることは、デフォルト通信プロトコルによってサポートされる一組のデフォルト機能に加えて、少なくとも１つの強化された機能を有効化する、請求項９に記載の方法。
【請求項１１】
前記決定することは、
前記ＷＷＡＮモデムカードに問合せメッセージを送信することと、
該問合せメッセージに対する応答メッセージが該ＷＷＡＮモデムカードから受信された場合、該ＷＷＡＮモデムカードは該強化された通信プロトコルをサポートすると決定することと
を包含する、請求項１０に記載の方法。
【請求項１２】
前記デフォルト通信プロトコルは、複数のＷＷＡＮモデムカードによって一組のデフォルト機能の実行を有効化し、前記強化された通信プロトコルは該複数のＷＷＡＮモデムカードのうちの１つの強化された機構のＷＷＡＮモデムカードによって、該一組のデフォルト機能に加えて少なくとも１つの強化された機能の実行を有効化する、請求項１０に記載の方法。
【請求項１３】
前記一組のデフォルト機能は、前記ＷＷＡＮモデムカードに接続された前記ＷＷＡＮモバイルゲートウェイのＷＷＡＮデバイスインタフェースを介するデフォルト情報の交換を含み、前記少なくとも１つの強化された機能は該ＷＷＡＮデバイスインタフェースを介する追加の情報の交換を含み、該追加の情報は該デフォルト情報への追加である、請求項１２に記載の方法。
【請求項１４】
前記追加の情報は、ＷＷＡＮ信号出力レベルと、ＷＷＡＮ受信の信号強度と、ネットワークタイプと、デバイス診断情報と、ネットワーク診断情報と、上記の情報の任意の適切な組合せとから成る群から選択される、請求項１３に記載の方法。
【請求項１５】
前記少なくとも１つの強化された機能は、前記強化された機能のＷＷＡＮモデムカードにおいて受信されたショートメッセージサービスメッセージに基づいて、コントローラに制御信号を提供することを包含する、請求項１２に記載の方法。
【請求項１６】
前記強化された通信プロトコルに対応する強化されたプロトコルコードをメモリから検索することと、
該強化されたプロトコルコードをコントローラにロードすることと、
該強化されたプロトコルコードを実行することと
をさらに包含する、請求項９に記載の方法。
【発明の詳細な説明】
【技術分野】
【０００１】
（発明の分野）
本発明は、概して無線通信システムに関し、より詳細には無線広域ネットワーク（ＷＷＡＮ）モバイルゲートウェイに関する。
【背景技術】
【０００２】
（発明の背景）
セルラモバイルゲートウェイ、セルラルータ、モバイルルータ、および他の名称でも時々呼ばれるＷＷＡＮモバイルゲートウェイは、セルラ通信システムなどのＷＷＡＮ通信システムと通信し、ユーザデバイスにパケットデータサービスを提供する。ＷＷＡＮモバイルゲートウェイは、ローカルエリアネットワーク（ＬＡＮ）インタフェースを用いて、無線ユーザデバイスおよび／または有線ユーザデバイスとデータを交換する。ＬＡＮインタフェースは、Ｗｉ−Ｆｉアクセスポイントなどの無線ＬＡＮ（ＷＬＡＮ）トランシーバ、および／または、例えばイーサネット（登録商標）インタフェースなどの有線ＬＡＮを含み得る。多くのＷＷＡＮモバイルゲートウェイは、ＷＷＡＮモデムカードの接続のためのインタフェースを含む。ＷＷＡＮモデムカードは、典型的には公衆交換電話網（ＰＳＴＮ）および／またはインターネットなどの公衆交換システムに接続されるＷＷＡＮ通信システムとデータ交換するセルラトランシーバなどのＷＷＡＮトランシーバを含む。ＷＷＡＮモバイルゲートウェイは、ＷＷＡＮ通信システムにＬＡＮを接続することによって、必要なタイミング機能および変換機能を実行し、データパケットサービスをユーザに提供する。
【０００３】
従来のＷＷＡＮモバイルゲートウェイは、ＷＷＡＮモバイルゲートウェイが単一の通信プロトコルを用いてＷＷＡＮモデムカードと通信するように構成されることにおいて限定される。通信プロトコルは、典型的には限定された種類の情報を交換する標準の通信プロトコルである。
【発明の概要】
【発明が解決しようとする課題】
【０００４】
従って、複数の通信プロトコルのうちの１つを用いてＷＷＡＮモデムカードと通信する装置、システムおよび方法に対するニーズがある。
【課題を解決するための手段】
【０００５】
（概要）
無線広域ネットワーク（ＷＷＡＮ）モバイルゲートウェイは、複数の通信プロトコルから選択された通信プロトコルを実行し、ＷＷＡＮデバイスインタフェースを介して接続される接続されたＷＷＡＮモデムカードと通信するように構成される。接続されたＷＷＡＮモデムカードは、複数のＷＷＡＮモデムカードのうちの１つであり、該複数のＷＷＡＮモデムカードの各々は、複数の通信プロトコルのうちの１つを用いて通信するように構成され、ＷＷＡＮ通信システムとＷＷＡＮ信号を交換するＷＷＡＮトランシーバを含む。
【図面の簡単な説明】
【０００６】
【図１】図１は、例示的実施形態に従う、通信ネットワーク内のＷＷＡＮモバイルゲートウェイのブロック図である。
【図２】図２は、例示的実施形態に従う、無線広域ネットワーク（ＷＷＡＮ）モデムカードと通信する方法のフローチャートである。
【発明を実施するための形態】
【０００７】
（詳細な説明）
例示的な実施形態において、通信ネットワーク内のＷＷＡＮモバイルゲートウェイ（モバイルゲートウェイ）は、少なくとも１つのユーザデバイスとデータを交換し、ＷＷＡＮ通信リンクを介してセルラ通信システムなどのＷＷＡＮシステムと通信し得る複数のＷＷＡＮモデムカードのうちの任意の１つに接続するように構成される。複数のモデムカードの各々は、複数の通信プロトコルのうちの１つを用いてモバイルゲートウェイと通信する。デフォルト通信プロトコルは、すべてのＷＷＡＮモデムカードとの通信を容易にする。しかしながら少なくとも１つのＷＷＡＮモデムカードは、強化された通信プロトコルを用いて通信するときに、追加の機構を提供する。ＷＷＡＮモデムカードがモバイルゲートウェイの中に挿入されると、モバイルゲートウェイは、ＷＷＡＮモデムカードを識別するかまたはＷＷＡＮモデムカードと通信する適切なプロトコルを決定する。挿入されたＷＷＡＮモデムカードが、強化された機構のＷＷＡＮモデムカードであり、強化された通信プロトコルを用いて通信し得るということをモバイルゲートウェイが決定した場合、モバイルゲートウェイは、強化された通信プロトコルに対応する強化されたプロトコルコードを実行し、モバイルゲートウェイが強化された機構のＷＷＡＮモデムカードによってサポートされる追加の機構を用いることを有効化する。強化されたプロトコルコードの実行は、デフォルトプロトコルコードの少なくとも一部分を置き換える、メモリからの置換コードをロードすること、追加の機構を有効化するサブルーチンを呼び出すこと、またはモバイルゲートウェイが強化されたプロトコルコードの命令にアクセスすることを可能にする他の動作を含み得る。追加の機構は、ネットワークタイプの識別と、信号強度の表示と、信号品質の表示と、ショートメッセージサービス（ＳＭＳ）関連の機構の有効化と、デバイス診断情報の提示と、ネットワーク診断の提示とを含み得る。ネットワークタイプの表示は、ネットワーク１００が、ＣＤＭＡ２０００  １Ｘ  Ｅｖ−ＤＯ（Ｅｖｏｌｕｔｉｏｎ  Ｄａｔａ  Ｏｐｔｉｍｉｚｅｄ）、ＣＤＭＡ２０００  １Ｘ  Ｅｖ−ＤＯ、ＤａｔａＴＡＣ、ＧＰＲＳ（Ｇｅｎｅｒａｌ  Ｐａｃｋｅｔ  Ｒａｄｉｏ  Ｓｅｒｖｉｃｅ）またはＥＤＧＥ（Ｅｎｈａｎｃｅｄ  Ｄａｔａ  ｒａｔｅｓ  ｆｏｒ  Ｇｌｏｂａｌ  Ｅｖｏｌｕｔｉｏｎ）プロトコルに従って動作するかどうかの表示を含み得る。デバイス診断情報は、電子シリアル番号（ＥＳＮ）情報またはモバイルディレクトリ番号（ＭＤＮ）情報を含み得る。ネットワーク診断情報は、Ａキー情報と、ＡＮＡＡＡキー情報と、ＡＮＨＡキー情報と、ＤＭＵキー情報とを含み得る。
【０００８】
図１は、本発明の例示的実施形態に従う、通信ネットワーク１００内のセルラＷＷＡＮモバイルゲートウェイ１０２のブロック図である。ＷＷＡＮモバイルゲートウェイ１０２は、セルラ通信システム１０４などのＷＷＡＮ通信システムと通信し、無線ユーザデバイス１０６および／または有線ユーザデバイス１０８とデータを交換し得る。セルラ通信システム１０４は、セルラシステムインフラストラクチャ１１２に接続された少なくとも１つのベースステーションを介してセルラ通信サービスを提供する。セルラシステムインフラストラクチャ１１２は、モバイル交換センタ（ＭＳＣ）（図示されていない）を介して公衆交換電話網（ＰＳＴＮ）１１４に接続される。例示的な実施形態において、セルラ通信システム１０４は、ｃｄｍａ２０００  １Ｘ、１ｘＥＶ−ＤＯ、およびＷ−ＣＤＭＡなどの符号分割多元接続（ＣＤＭＡ）規格に従って動作する。一部の状況において、セルラ通信システム１０４は、例えばＯＦＤＭベースの規格またはＧＳＭ規格などの他の規格によって動作し得る。従って、セルラ通信システム１０４は、任意の無線広域ネットワーク（ＷＷＡＮ）であり得る。セルラ通信システム１０４に関して説明されるブロックの様々な機能および動作は、任意の数のデバイス、回路、または要素においてインプリメントされ得る。２つ以上の機能ブロックは、単一のデバイスに統合され得、任意の単一のデバイスにおいて実行されるように説明される機能は、いくつかのデバイスにわたりインプリメントされ得る。例えば、一部の状況においてセルラシステムインフラストラクチャ１１２の機能の少なくとも部分は、ベースステーション１１０またはＭＳＣによって実行され得る。
【０００９】
ＷＷＡＮモバイルゲートウェイ１０２は、無線ユーザデバイス１０６とデータを交換し、一部の場合において、ＬＡＮインタフェース１１６を用いて有線ユーザデバイス１０８とデータを交換する。ＷＷＡＮモバイルゲートウェイ１０２は、ＷＷＡＮデバイスインタフェース１１９に連結されたコントローラ１１８と、出力デバイス１２２と、メモリ１２３と、ＬＡＮインタフェース１１６とをさらに備えている。コントローラ１１８は、ＷＷＡＮデバイスインタフェース１１９と、出力デバイス１２２と、ＬＡＮインタフェース１１６との間の動作および通信を制御し、そして他の機能を実行し、ＷＷＡＮモバイルゲートウェイ１０２の全体の動作を容易にする。
【００１０】
例示的実施形態において、セルラモデムカードなどのＷＷＡＮモデムカード１２０は、ＷＷＡＮモバイルゲートウェイ１０２においてモデムポートの形態であり得るＷＷＡＮデバイスインタフェース１１９の中に差し込み、ＷＷＡＮデバイスインタフェース１１９によって受け取られる。ＷＷＡＮデバイスインタフェース１１９は、ＷＷＡＮモデムカード１２０および導体を固定する適切なハードウェアを含み、ＷＷＡＮモデムカード１２０の導体とコントローラ１１８の導体との間の電気的接続を形成する。ＷＷＡＮデバイスインタフェース１１９は、ＷＷＡＮモデムカード１２０とインタフェースするさらなる要素または回路網を含み得る。複数のモデムカードは標準構成で配置される一組のピンを有するので、複数のＷＷＡＮモデムカードの各々は、ＷＷＡＮモバイルゲートウェイ１０２に接続され得る。従って、ＷＷＡＮデバイスインタフェース１１９は、複数のＷＷＡＮモデムカードのうちの任意の１つのＷＷＡＮモデムカード１２０に接続するように構成される。複数のＷＷＡＮモデムカードの各々は、通信プロトコルを用いてＷＷＡＮデバイスインタフェース１１９と通信するように構成される。強化された通信プロトコルを用いて通信するときに、ＷＷＡＮモデムカードのうちの少なくとも１つは、少なくとも１つのさらなる機能を提供する。例示的実施形態において、ＷＷＡＮモデムカードのすべては、標準の通信プロトコルを用いて通信し得る。コントローラ１１８は、複数の通信プロトコルのうちの１つの選択された通信プロトコルを実行し、ＷＷＡＮデバイスインタフェース１１９を介して、接続されたＷＷＡＮモデムカード１２０と通信する。コントローラ１１８は、ＷＷＡＮデバイスインタフェース１１９の中に挿入されるＷＷＡＮモデムカード１２０の能力を決定することによって通信プロトコルを選択する。
【００１１】
ＷＷＡＮモデムカード１２０によってサポートされる通信プロトコルを識別するために多数の技術のうちの任意の技術が用いられ得る。例示的実施形態において、コントローラ１１８は、通信プロトコル識別子によって応答するようＷＷＡＮモデムカード１２０に要求する問合せメッセージを送信する。ＷＷＡＮモデムカード１２０が標準（デフォルト）プロトコル以外のプロトコルをサポートする場合、ＷＷＡＮモデムカード１２０は通信プロトコル識別子で応答する。ＷＷＡＮモデムカード１２０が標準プロトコルのみをサポートする場合、問合せメッセージはＷＷＡＮモデムカード１２０によってデコードされ得ないで、ＷＷＡＮモデムカード１２０は応答しない。ＷＷＡＮモデムカード１２０によってサポートされる通信プロトコルを検出する別の適切な技術の例は、シリアル番号を読み取ることを含む。別の例は、対応するプロトコルによってのみデコードされ得るメッセージを送信することと、ＷＷＡＮモデムカード１２０から肯定応答または応答が受信される場合、ＷＷＡＮモデムカード１２０が通信プロトコルをサポートすることを決定することとを含む。従って、コントローラ１１８は、カードがＷＷＡＮデバイスインタフェース１１９の中に挿入された後に、ＷＷＡＮモデムカード１２０に対応する通信プロトコルを識別するように構成される。
【００１２】
通信プロトコルを識別した後に、コントローラ１１８は、選択された通信プロトコルを用い、ＷＷＡＮモデムカード１２０と通信する。例示的実施形態において、コントローラ１１８は選択された通信プロトコルに対応するコードを実行する。多数の方法のうちの任意の方法がコードを実行するために用いられ得る。例えば、適切なコードは、メモリ１２３から検索され、コントローラ１１８にロードされ得る。一部の状況において、デフォルトプロトコルによってサポートされないさらなる機能を容易にするために、サブルーチンが呼び出され得る。従って、コントローラ１１８は、ＷＷＡＮモデムカード１２０がデフォルト通信プロトコルのみをサポートするとき、デフォルト通信プロトコルに対応するデフォルトコードを実行し、ＷＷＡＮモデムカード１２０が強化された通信プロトコルをサポートするとき、強化された通信プロトコルを用いて通信を有効化する強化されたコードを実行する。強化された通信プロトコルは、デフォルト通信プロトコルを用いて利用可能ではないＷＷＡＮモデムカード１２０のさらなる機能を有効化する。
【００１３】
ＷＷＡＮモデムカード１２０は、送信器１２４と受信器１２６とを備え、セルラ通信リンクを介してセルラ通信システム１０４と、ＷＷＡＮ信号としてのデータを交換するように構成されるＷＷＡＮトランシーバ１２５を含む。送信器１２４はセルラ通信システム１０４のセルラベースステーション１１０にセルラアップリンク信号（逆方向リンク信号）を送信し、受信器１２６は、セルラ通信リンクを介してセルラベースステーション１１０からセルラダウンリンク信号（順方向リンク信号）受信するように構成される。ＷＷＡＮモデムカード１２０は、パケットデータサービスに対応するデータをセルラ通信システム１０４と交換し、セルラ通信リンクを介してセルラダウンリンク信号を受信するように適合される。デフォルト通信プロトコルが用いられるとき、ＷＷＡＮモデムカードから受信され得る情報はデフォルト情報と呼ばれる。デフォルト情報の例は、接続状態（接続されているかまたは接続されていないか）と、スループット速度と、使用時間とを含む。
【００１４】
強化された通信プロトコルが用いられるとき、コントローラ１１８は、デフォルト情報に加えてさらなる情報を受信し得る。さらなる情報の例は、ＷＷＡＮモデムカード１２０とセルラ通信システム１０４との間の通信リンクの品質を示すかそれに関連する、ＷＷＡＮモデムカード１２０からのＷＷＡＮ信号品質情報を含む。他のさらなる情報の例は、ネットワークタイプ情報、信号強度情報、デバイス診断情報およびネットワーク診断情報を含む。
【００１５】
以下に説明されるように、信号品質情報は、信号対雑音比（ＳＮＲ）などのパラメータであり得るか、または成功した送信の観測された率であり得る。信号品質情報に基づき、コントローラ１１８は、制御信号を生成し、出力デバイス１２２を制御する。コントローラ１１８は、出力デバイス１２２に直接に接続され得るかまたは他の回路網を介して接続され得る。例えば、コントローラ１１８は、１つ以上のＬＥＤにアナログ電圧を生成するディジタル−アナログコントローラ（ＤＡＣ）（図示されていない）に接続され得る。出力デバイス１２２は、コントローラ１１８によって生成される制御信号に応答し、少なくとも１つのセルラダウンリンク（順方向リンク）信号の信号品質を示す。コントローラ１１８は、ＷＷＡＮモデムカード１２０によって提供される１つ以上の品質インディケータに基づき制御信号を生成する。例示的な実施形態において、コントローラ１１８は、ＷＷＡＮモデムカード１２０によって提供される受信信号強度インディケータ（ＲＳＳＩ）に従って信号を生成する。しかしながらコントローラ１１８は、他のインディケータおよびインディケータの組み合わせを用い、制御信号を生成し得、該制御信号は、出力デバイス１２２に加えられたときセルラ信号の表示という結果となる。コントローラ１１８によって用いられ得る他の信号品質インディケータの例は、信号対雑音比（ＳＮＲ）、および、ビット誤り率（ＢＥＲ）、データパケットまたは受信成功したデータパケットの合計数、受信成功したデータパケットのパーセンテージ、およびセルラ通信リンクを介するデータスループットなどのデータスループットパラメータを含む。コントローラ１１８はまた、複数の品質インディケータを処理し、制御信号を生成し得る。例えば、コントローラ１１８は、一部の状況においてＲＳＳＩおよびＳＮＲに基づき制御信号を生成し得る。
【００１６】
さらなる情報は、ＷＷＡＮモバイルゲートウェイ１０２と通信している外部デバイスによってアクセスされ得る。例えば、インターネットなどのパケットデータネットワークを介して接続されるラップトップコンピュータは、適切な許可および認証によって、さらなる情報にアクセスし得る。リアルタイムパケットデータスループット、ＲＳＳＩ、またはＷＷＡＮ信号のＢＥＲなどの情報は、ラップトップ上のグラフィカルユーザインタフェースによって提供され得る。
【００１７】
利用可能なさらなる情報は、ＷＷＡＮモバイルゲートウェイ１０２の動作を制御するか、構成するか、調整するか、またはアクセスする制御信号を含み得る。例えば、ＷＷＡＮモデムカード１２０の強化した機能は、ショートメッセージサービス（ＳＭＳ）メッセージを受信すること、および、対応するメッセージまたは制御信号を生成し、ＷＷＡＮモバイルゲートウェイの動作を変化させることを含み得る。ＷＷＡＮモバイルゲートウェイ１０２にアクセスを許可されるＷＬＡＮの最大数は、例えば変更され得る。さらにＷＷＡＮモバイルゲートウェイ１０２は、ＳＭＳを用いて診断目的のためにリセットされ得る。パケット交換ネットワークを介して利用可能な制御機能の一部または全部は、強化された機構のＷＷＡＮモデムカード１２０を有するＳＭＳのさらなる機構を用いて有効化され得る。
【００１８】
例示的な実施形態において、ＬＡＮインタフェース１１６は、有線ＬＡＮインタフェース、無線ＬＡＮ（ＷＬＡＮ）インタフェース、またはその両方を含み得る。ＬＡＮインタフェース１１６は、有線ＬＡＮプロトコルに従って、有線ユーザデバイス１０８と信号を交換するインタフェースポート（図示されていない）を含み得る。適切な有線ＬＡＮプロトコルの例はイーサネット（登録商標）プロトコルを含む。さらに、ＬＡＮインタフェース１１６内のＷＬＡＮインタフェースは、ＷＬＡＮプロトコルに従って、無線ユーザデバイス１０６と無線信号を交換する無線通信モデム（図示されていない）を含み得る。適切なＷＬＡＮの例は、ＩＥＥＥ８０２．１１プロトコルおよび無線忠実度（ＷｉＦｉ）に従って、１つ以上の無線デバイスにパケットデータサービスを提供する無線アクセスポイントを含む。
【００１９】
図２は、例示的実施形態に従ってＷＷＡＭモデムカードと通信する方法のフローチャートである。方法は、ハードウェア、ソフトウェア、および／またはファームウェアの任意の組み合わせによって、あるいは多数のデバイスの任意のデバイスにおいて実行され得るが、方法は、ＷＷＡＮモバイルゲートウェイ１０２においてコントローラ１１８によって実行される。
【００２０】
ステップ２０２において、ＷＷＡＮモバイルゲートウェイ１０２は、ＷＷＡＮデバイスインタフェース１１９に接続されたＷＷＡＮモデムカード１２０によってサポートされる通信プロトコルを識別する。例示的な実施形態において、コントローラ１１８は、問合せメッセージと、応答と、しばしば「ハンドシェーク」と呼ばれる肯定応答とを含む初期手順を呼び出す。デフォルト通信プロトコルに対応するハンドシェークを実行した後に、コントローラ１１８は、強化された通信プロトコルによってのみサポートされた問合せメッセージを送信する。適切な応答がＷＷＡＮモデムカード１２０から受信された場合、ＷＷＡＮモデムカード１２０が強化された通信プロトコルをサポートするということが決定される。上記に説明されるように、任意の他のいくつかの技術がＷＷＡＮモデムカード１２０によってサポートされる通信プロトコルを決定するために用いられ得る。
【００２１】
ステップ２０４において、ＷＷＡＮモバイルゲートウェイ１０２は、ＷＷＡＮモデムカード１２０が強化された通信プロトコルをサポートするかどうかを決定する。ＷＷＡＮモデムカード１２０強化された通信プロトコルをサポートする場合、方法はステップ２０８において継続する。そうでない場合、方法はステップ２０６に進む。
【００２２】
ステップ２０６において、コントローラ１１８は、デフォルト通信プロトコルを実行し、ＷＷＡＮモデムカード１２０と通信する。例示的な実施形態において、標準通信プロトコルは、複数のＷＷＡＮモデムカードによってサポートされ、デフォルト通信プロトコルである。従って、コントローラ１１８は、デフォルトコードを実行し続け、デフォルト通信プロトコルを用いて通信する。
【００２３】
ステップ２０８において、コントローラ１１８は強化されたプロトコルコードを実行する。例示的実施形態において、ＷＷＡＮモデムカード１２０によってサポートされる強化された通信プロトコルに対応する強化されたプロトコルコードは、メモリ１２３から検索され、実行のためにコントローラ１１８にロードされる。他の技術は、強化されたプロトコルコードを実行するために用いられ得る。例えば、サブルーチンは、強化された機構のＷＷＡＮモデムカード１２０によって提供される強化された機構を容易にするために用いられ得る。強化されたプロトコルコードが実行されると、少なくとも１つの強化された機構は、強化された機構のＷＷＡＮモデムカード１２０による一組のデフォルト機能に加えて有効化される。
【００２４】
上記の例は単一の標準通信プロトコルおよび単一の強化された通信プロトコルに関するが、任意の数の強化されたプロトコルが用いられ得る。従って、モバイルゲートウェイは、多数の強化された通信プロトコルのうちのどのプロトコルが接続されたモデムカードによってサポートされるかを決定し得る。モバイルゲートウェイは、対応するプロトコルコードにアクセスし、特定の強化された通信プロトコルを用いて通信する。
【００２５】
これらの教示を考慮して、明らかに本発明の他の実施形態および修正が当業者に容易に思いつく。上記の説明は、例示であり、限定するものではない。この発明は以下の特許請求の範囲によってのみ限定されるべきであり、該特許請求の範囲は、上記の明細書および添付の図面に関連して考慮されるとき、すべてのそのような実施形態および修正を含む。従って本発明の範囲は、上記の説明に関連して決定されるべきではなく、その代わりに添付の特許請求の範囲およびその均等物の全範囲に関連して決定されるべきである。
【図１】
2010510751.tif 000003
【図２】
2010510751.tif 000004
【国際調査報告】
2010510751.tif 000005
2010510751.tif 000006
2010510751.tif 000007